(57)【要約】【課題】本発明は、非表示領域の幅を縮小させることができるバックライトアセンブリ及びこれを含む液晶表示装置を提供する。【解決手段】光源、及び光源を受容し、開放窓を形成する窓枠形状になった第１のモールドを含み、少なくとも一側部での第１のモールドの側壁の外側面は内側方向に下向逆傾斜した逆傾斜面を含む。これにより、液晶表示装置の全体の大きさに比べて表示領域の大きさの比率が相対的に増加して非表示領域の幅が縮小し、各液晶表示装置間の非表示領域の幅が縮小するため画像の満足度が改善される。【選択図】図３
2008027884.tif 000002
【特許請求の範囲】
【請求項１】
光源と、
前記光源を受容し、開放窓を形成する窓枠形状になった第１のモールドとを含み、
少なくとも一側部での前記第１のモールドの側壁の外側面は内側方向に下向逆傾斜した逆傾斜面を含むことを特徴とするバックライトアセンブリ。
【請求項２】
前記側部での前記第１のモールドの側壁の外側面が上面の外側端より外側に突出された水平端を含み、前記逆傾斜面は前記水平端から下に延長されていることを特徴とする請求項１に記載のバックライトアセンブリ。
【請求項３】
前記第１のモールドは、上面から延長されており、内側に下向傾斜した傾斜面を含むことを特徴とする請求項２に記載のバックライトアセンブリ。
【請求項４】
前記光源下に配置され、反射シートを収納するボトムシャーシをさらに含み、
前記側部での前記第１のモールドの傾斜面の下端は前記ボトムシャーシ上に配置され、前記ボトムシャーシの一側壁は前記側部での前記第１のモールドの傾斜面と前記第１のモールドの側壁との間に挿入されており、
前記反射シートは、前記第１のモールドの傾斜面の下端から前記第１のモールドの側壁方向に延長されていることを特徴とする請求項３に記載のバックライトアセンブリ。
【請求項５】
前記第１のモールドは、下面に形成された少なくとも一つの締結溝を含み、前記第１のモールドは結合部材によって前記締結溝を通じて前記ボトムシャーシと締結されていることを特徴とする請求項４に記載のバックライトアセンブリ。
【請求項６】
前記第１のモールドの上面に配置された光学プレート及び光学シート層をさらに含み、
前記光学プレート及び前記光学シート層の少なくとも一部を覆い、前記側部で前記第１のモールドの前記水平端上に配置されている第２のモールドをさらに含むことを特徴とする請求項３に記載のバックライトアセンブリ。
【請求項７】
前記側部での前記第２のモールドの外側面は、最外側面から内側にアンダーカットされたアンダーカット面を備えることを特徴とする請求項６に記載のバックライトアセンブリ。
【請求項８】
光源と、
前記光源を受容し、開放窓を形成する窓枠形状になった第１のモールドとを含み、
少なくとも一側部での前記第１のモールドの側壁の外側面は最外側面からアンダーカットされているアンダーカット面を含むことを特徴とするバックライトアセンブリ。
【請求項９】
前記側部での前記第１のモールドの側壁の外側面は上面の外側端より外側に突出された突出部を含み、前記アンダーカット面は前記突出部下に形成されており
前記第１のモールドは上面から延長され、内側に下向傾斜した傾斜面を含むことを特徴とする請求項８に記載のバックライトアセンブリ。
【請求項１０】
前記第１のモールドの上面に配置された光学プレート及び光学シート層をさらに含み、
前記光学プレート及び前記光学シート層の少なくとも一部を覆い、前記側部で前記第１のモールドの前記突出部上に配置されている第２のモールドをさらに含むことを特徴とする請求項９に記載のバックライトアセンブリ。
【請求項１１】
光源と、
前記光源を受容し、開放窓を形成する窓枠形状になり、側壁、前記側壁に連結されている上面、前記上面から延長されており、内側に下向傾斜した傾斜面を含み、少なくとも一側部で底面が開放されている第１のモールドと、
前記光源下に配置され、反射シートを収納するボトムシャーシとを含み、
前記ボトムシャーシは、前記第１のモールドの開放された底面から前記第１のモールドの前記側壁と前記傾斜面との間に挿入されていることを特徴とするバックライトアセンブリ。
【請求項１２】
前記第１のモールドの前記側壁の外側面は、内側方向に下向傾斜した逆傾斜面又は最外側面からアンダーカットされているアンダーカット面を含むことを特徴とする請求項１１に記載のバックライトアセンブリ。
【請求項１３】
液晶パネルと、前記液晶パネルの一側部に付着されているデータＴＣＰと、前記データＴＣＰに付着されており、駆動チップが実装されている印刷回路基板とを含む液晶パネルアセンブリと、
光源と、前記光源を受容し開放窓を形成する窓枠形状になった第１のモールドとを含み、少なくとも一側部での前記第１のモールドの側壁の外側面は内側方向に下向逆傾斜した逆傾斜面を含む、前記液晶パネルに光を提供するバックライトアセンブリと、
前記液晶パネルの枠を覆い、前記液晶パネル及び前記バックライトアセンブリの側面を包むトップシャーシとを含み、
前記印刷回路基板は、前記側部での前記第１のモールドの逆傾斜面と前記トップシャーシとの間に限定された空間に収納されることを特徴とする液晶表示装置。
【請求項１４】
前記第１のモールドの逆傾斜面と前記トップシャーシとの間に限定された空間は下部の幅が上部の幅より広いことを特徴とする請求項１３に記載の液晶表示装置。
【請求項１５】
前記側部での前記第１のモールドの側壁の外側面は上面の外側端より外側に突出された水平端を含み、前記逆傾斜面は前記水平端から延長されていることを特徴とする請求項１４に記載の液晶表示装置。
【請求項１６】
前記第１のモールドは、上面から延長されており、内側に下向傾斜した傾斜面をさらに含むことを特徴とする請求項１５に記載の液晶表示装置。
【請求項１７】
前記光源下に配置され、反射シートを収納するボトムシャーシをさらに含み、
前記側部での前記第１のモールドの傾斜面の下端は前記ボトムシャーシ上に配置され、前記ボトムシャーシの一側壁は前記側部での前記第１のモールドの傾斜面と前記第１のモールドの側壁との間に挿入されており、
前記反射シートは、前記第１のモールドの傾斜面の下端から前記第１のモールドの側壁方向に延長されていることを特徴とする請求項１６に記載の液晶表示装置。
【請求項１８】
前記第１のモールドは、下面に形成された少なくとも一つの締結溝を含み、前記第１のモールドは結合部材によって前記締結溝を通じて前記ボトムシャーシと締結されていることを特徴とする請求項１７に記載の液晶表示装置。
【請求項１９】
前記第１のモールドの上面に配置された光学プレート及び光学シート層をさらに含み、
前記光学プレート及び前記光学シート層の少なくとも一部を覆い、前記液晶パネルを支持し、前記側部で前記第１のモールドの前記水平端上に配置されている第２のモールドをさらに含むことを特徴とする請求項１６に記載の液晶表示装置。
【請求項２０】
前記側部での前記第２のモールドの外側面は、最外側面から内側にアンダーカットされたアンダーカット面を備え、前記データドライバーＩＣは前記アンダーカット面及び前記トップシャーシの間に限定された空間に収納されることを特徴とする請求項１９に記載の液晶表示装置。
【請求項２１】
液晶パネルと、前記液晶パネルの一側部に付着されているデータＴＣＰと、前記データＴＣＰに付着されており、駆動チップが実装されている印刷回路基板とを含む液晶パネルアセンブリと、
光源と、前記光源を受容し開放窓を形成する窓枠形状になった第１のモールドとを含み、少なくとも一側部での前記第１のモールドの側壁の外側面は最外側面からアンダーカットされている第１のアンダーカット面を含む、前記液晶パネルに光を提供するバックライトアセンブリと、
前記液晶パネルの枠を覆い、前記液晶パネル及び前記バックライトアセンブリの側面を包むトップシャーシとを含み、
前記印刷回路基板は、前記側部での前記第１のモールドのアンダーカット面と前記トップシャーシとの間に限定された空間に収納されることを特徴とする液晶表示装置。
【請求項２２】
前記側部での前記第１のモールドの側壁の外側面は上面の外側端より外側に突出された突出部を含み、前記第１のアンダーカット面は前記突出部下に形成されており、
前記第１のモールドは、上面から延長されており、内側に下向傾斜した傾斜面を含むことを特徴とする請求項２１に記載の液晶表示装置。
【請求項２３】
前記第１のモールドの上面に配置された光学プレートと光学シート層とをさらに含み、
前記光学プレート及び前記光学シート層の少なくとも一部を覆い、前記液晶パネルを支持し、前記側部で前記第１のモールドの前記水平端上に配置されている第２のモールドをさらに含み、
前記側部での前記第２のモールドの外側面は、最外側面から内側にアンダーカットされた第２のアンダーカット面を備え、前記データドライバーＩＣは前記第２のアンダーカット面及び前記トップシャーシの間に限定された空間に収納されることを特徴とする請求項２２に記載の液晶表示装置。
【請求項２４】
液晶パネルと、前記液晶パネルの一側部に付着されているデータＴＣＰと、前記データＴＣＰに付着されており、駆動チップが実装されている印刷回路基板とを含む液晶パネルアセンブリと、
光源と、前記光源を受容し開放窓を形成する窓枠形状になり、側壁、前記側壁に連結されている上面、前記上面から延長されており、内側に下向傾斜した傾斜面を含み、少なくとも一側部で底面が開放されている第１のモールドと、前記光源下に配置され、反射シートを収納するボトムシャーシとを含み、前記ボトムシャーシは前記第１のモールドの開放された底面から前記第１のモールドの前記側壁と前記傾斜面の間に挿入されている、前記液晶パネルに光を提供するバックライトアセンブリと、
前記液晶パネルの枠を覆い、前記液晶パネル及び前記バックライトアセンブリの側面を包むトップシャーシとを含むことを特徴とする液晶表示装置。
【請求項２５】
前記第１のモールドの前記側壁の外側面は、内側方向に下向傾斜した逆傾斜面又は最外側面からアンダーカットされているアンダーカット面を含み、
前記印刷回路基板は、前記側部での前記第１のモールドの前記側壁の外側面と前記トップシャーシとの間に限定された空間に収納されることを特徴とする請求項２４に記載の液晶表示装置。
【発明の詳細な説明】
【技術分野】
【０００１】
本発明は、バックライトアセンブリ及びこれを含む液晶表示装置に係り、さらに詳細には、印刷回路基板の収納空間を増加させることのできるバックライトアセンブリ及びこれを含む液晶表示装置に関する。
【背景技術】
【０００２】
液晶表示装置は、電極が形成されている２枚の基板とその間に挿入されている液晶層からなる液晶パネルを含み、電極に電圧を印加して液晶層の液晶分子を再配列させることによって透過される光量を調節する表示装置である。液晶パネルの下には光を提供するバックライトアセンブリが配置され、液晶パネルの一側には液晶パネルを駆動する印刷回路基板が付着される。液晶パネルは、バックライトアセンブリ上に配置されてトップシャーシ内に一緒に収納される。
【０００３】
トップシャーシは、液晶パネルの枠を覆い、液晶パネルとバックライトアセンブリの側部を包む。バックライトアセンブリとトップシャーシの間には、所定の離隔空間が形成され、ここに印刷回路基板が収納される。ここで、印刷回路基板が収納される空間の大きさは、印刷回路基板に実装された駆動チップの高さに左右される。すなわち、バックライトアセンブリとトップシャーシの間の離隔空間は少なくとも印刷回路基板の厚さ及び駆動チップの高さの和より大きくしなければならない。ところで、バックライトアセンブリとトップシャーシの離隔空間が大きくなるようになれば、同一サイズの表示領域に対する液晶表示装置のサイズが不必要に増加するようになる。特に、多数個の液晶表示装置を隣接配置して一つの画面をディスプレイする場合、液晶表示装置間の間隔が広くなるようになって画像の満足度が減少する。
【０００４】
【特許文献１】韓国特許公開 10-2000-0018704号
【発明の開示】
【発明が解決しようとする課題】
【０００５】
本発明が解決しようとする技術的課題は、非表示領域の幅を縮小させることができるバックライトアセンブリを提供することにある。
【０００６】
本発明が解決しようとする他の技術的課題は、非表示領域の幅が縮小された液晶表示装置を提供することにある。
【０００７】
本発明の技術的課題は以上で言及した技術的課題で制限されないし、言及されないまた他の技術的課題は以下の記載から当業者に明確に理解される。
【課題を解決するための手段】
【０００８】
前記技術的課題を達成するための本発明の一実施形態によるバックライトアセンブリは、光源と、前記光源を受容し、開放窓を形成する窓枠形状になった第１のモールドとを含み、少なくとも一側部での前記第１のモールドの側壁の外側面は内側方向に下向逆傾斜した逆傾斜面を含む。
【０００９】
前記技術的課題を達成するための本発明の他の実施形態によるバックライトアセンブリは、光源と、前記光源を受容し、開放窓を形成する窓枠形状になった第１のモールドとを含み、少なくとも一側部での前記第１のモールドの側壁の外側面は最外側面からアンダーカットされているアンダーカット面を含むことを特徴とする。
【００１０】
前記技術的課題を達成するための本発明のさらに他の実施形態によるバックライトアセンブリは、光源と、前記光源を受容し、開放窓を形成する窓枠形状になり、側壁、前記側壁に連結されている上面、前記上面から延長されており、内側に下向傾斜した傾斜面を含み、少なくとも一側部で底面が開放されている第１のモールドと、及び前記光源下に配置され、反射シートを収納するボトムシャーシとを含み、前記ボトムシャーシは、前記第１のモールドの開放された底面から前記第１のモールドの前記側壁と前記傾斜面との間に挿入されていることを特徴とする。
【００１１】
前記他の技術的課題を達成するための本発明の一実施形態による液晶表示装置は、液晶パネルと、前記液晶パネルの一側部に付着されているデータＴＣＰと、前記データＴＣＰに付着されており、駆動チップが実装されている印刷回路基板とを含む液晶パネルアセンブリと、光源と、前記光源を受容し、開放窓を形成する窓枠形状になった第１のモールドとを含み、少なくとも一側部での前記第１のモールドの側壁の外側面は内側方向に下向逆傾斜した逆傾斜面を含む、前記液晶パネルに光を提供するバックライトアセンブリと、前記液晶パネルの枠を覆い、前記液晶パネル及び前記バックライトアセンブリの側面を包むトップシャーシとを含み、前記印刷回路基板は、前記側部での前記第１のモールドの逆傾斜面と前記トップシャーシとの間に限定された空間に収納されることを特徴とする。
【００１２】
前記他の技術的課題を達成するための本発明の他の実施形態による液晶表示装置は、液晶パネルと、前記液晶パネルの一側部に付着されているデータＴＣＰと、前記データＴＣＰに付着されており、駆動チップが実装されている印刷回路基板とを含む液晶パネルアセンブリと、光源と、前記光源を受容し、開放窓を形成する窓枠形状になった第１のモールドとを含み、少なくとも一側部での前記第１のモールドの側壁の外側面は最外側面からアンダーカットされている第１のアンダーカット面を含む、前記液晶パネルに光を提供するバックライトアセンブリと、前記液晶パネルの枠を覆い、前記液晶パネル及び前記バックライトアセンブリの側面を包むトップシャーシとを含み、前記印刷回路基板は、前記側部での前記第１のモールドのアンダーカット面と前記トップシャーシとの間に限定された空間に収納されることを特徴とする。
【００１３】
前記他の技術的課題を達成するための本発明のさらに他の実施形態による液晶表示装置は、液晶パネルと、前記液晶パネルの一側部に付着されているデータＴＣＰと、前記データＴＣＰに付着されており、駆動チップが実装されている印刷回路基板とを含む液晶パネルアセンブリと、光源と、前記光源を受容し、開放窓を形成する窓枠形状になり、側壁、前記側壁に連結されている上面、前記上面から延長されており、内側に下向傾斜した傾斜面を含み、少なくとも一側部で底面が開放されている第１のモールドと、前記光源下に配置され、反射シートを収納するボトムシャーシを含み、前記ボトムシャーシは前記第１のモールドの開放された底面から前記第１のモールドの前記側壁と前記傾斜面の間に挿入されている、前記液晶パネルに光を提供するバックライトアセンブリと、前記液晶パネルの枠を覆い、前記液晶パネル及び前記バックライトアセンブリの側面を包むトップシャーシを含むことを特徴とする。
【００１４】
その他実施形態の具体的な事項は詳細な説明及び図面に記載されている。
【発明の効果】
【００１５】
本発明の実施形態によるバックライトアセンブリ及びこれを含む液晶表示装置によれば、表示領域と関係なくトップシャーシの上面の幅が縮小されるため、データドライブＩＣ及び印刷回路基板の収納空間が極大化される。従って、液晶表示装置の全体の大きさに比べて表示領域の大きさの比率が相対的に増加し、非表示領域の幅が縮小する。また、本実施形態によるバックライトアセンブリ及びこれを含む液晶表示装置を多数個の液晶パネルを隣接配置して一つのディスプレイ画面を実現するタイル状に並んだモニター用液晶表示装置に適用すれば、各液晶表示装置間の非表示領域の幅が縮小するため画像の満足度が改善できる。
【発明を実施するための最良の形態】
【００１６】
本発明の利点及び特徴、そしてそれらを達成する方法は添付する図面と共に詳細に後述している実施形態を参照すれば明確になる。しかしながら、本発明は、以下で開示される実施形態に限定されるものではなく、相異なる多様な形態で具現されるものであり、本実施形態は、本発明の開示が完全となり、当業者に発明の範疇を完全に知らせるために提供されるものであり、本発明は、特許請求の範囲の記載に基づいて決められなければならない。図面における層及び領域の大きさ及び相対的な大きさは、説明の明瞭性のため誇張されることもありうる。
【００１７】
素子又は層が他の素子又は層の「上」ないし「下」にあると指称される場合には、他の素子又は層の真上・真下だけではなく、中間に他の層又は他の素子を介在した場合を全て含む。なお、明細書全体にかけて同一参照符号は同一構成要素を示す。「及び／又は」は、言及されたアイテムのそれぞれ及び一つ以上の全ての組み合わせを含む。
【００１８】
空間的に相対的な用語である「下」、「下方」、「下部」、「上」、「上部」などは図面に示すように一つの素子又は構成要素と他の素子又は構成要素との相間関係を容易に記述するため使用される。空間的に相対的な用語は、図面に示す方向に加えて使用時又は動作時素子の相異なる方向を含む用語に理解されなければならない。なお、明細書全体にかけて同一参照符号は同一構成要素を示すものとする。
【００１９】
本明細書で記述する実施形態は、本発明の理想的な概略図である平面図及び断面図を参照して説明される。従って、製造技術及び／又は許容誤差などによって例示図の形成が変形されることがある。これにより、本発明の実施形態は示す特定形態で制限されることではなく、製造工程によって生成する形態の変化も含む。従って、図面で例示された領域は、概略的な属性を有し、図面で例示された領域の形は素子の領域の特定形態を例示するためのことであり、発明の範疇を制限するものではない。
【００２０】
以下、添付した図面を参照して本発明の実施形態によるバックライトアセンブリ及びこれを含む液晶表示装置について詳細に説明する。
【００２１】
図１は、本発明の第１の実施形態による液晶表示装置の分解斜視図である。図２は、本発明の第１の実施形態による液晶表示装置の斜視図である。本実施形態による液晶表示装置は、図２に示すように実質的な長方柱形状になっており、合計４つの側部を有する。本明細書では、説明の便宜上データＴＣＰ及び印刷回路基板が付着されている側部を第１の側部、それに対向する側部を第２の側部、これらに隣接する残り左右側部をそれぞれ第３及び第４の側部と称する。
【００２２】
図１及び図２を参照すれば、液晶表示装置７００は液晶パネルアセンブリ１００、バックライトアセンブリ５００及びトップシャーシ６００を含む。
【００２３】
液晶パネルアセンブリ１００は、第１の表示板１１１、第２の表示板１１２及びその間に介在された液晶層（図示せず）を含む液晶パネル１１０、液晶パネル１１０の第１の側部に付着されているデータＴＣＰ（Ｔａｐｅ  Ｃａｒｒｉｅｒ  Ｐａｃｋａｇｅ）１３０、データＴＣＰ１３０に付着されている印刷回路基板１４０を含む。データＴＣＰ１３０上には、データドライバーＩＣ（Ｉｎｔｅｇｒａｔｅｄ  Ｃｉｒｃｕｉｔ）１３５が実装されており、印刷回路基板１４０には一つ以上の駆動チップ（図３の‘１４１’参照）が実装されている。第１の表示板１１１は、データＴＣＰ１３０の付着面を提供するように第１の側部で第２の表示板１１２より大きくすることが可能である。第１の表示板１１１には、複数のゲートライン（図示せず）及びデータライン（図示せず）が形成されており、データラインは印刷回路基板１４０上の駆動チップ及びデータドライバーＩＣ１３５によって駆動される。ゲートラインは、第１の表示板１１１に形成されたゲートライン駆動部（図示せず）によって駆動される。
【００２４】
バックライトアセンブリ５００は光源２１０、光源２１０から射出された光を反射する反射シート２２０、及び射出された光の光学的特性を調節する光学プレート２３０と光学シート層２４０を含む。
【００２５】
光源２１０としては、例えばＣＣＦＬ（Ｃｏｌｄ  Ｃａｔｈｏｄｅ  Ｆｌｕｏｒｅｓｃｅｎｔ  Ｌａｍｐ）、ＨＣＦＬ（Ｈｏｔ  Ｃａｔｈｏｄｅ  Ｆｌｕｏｒｅｓｃｅｎｔ  Ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）などの線光源、ＬＥＤ（Ｌｉｇｈｔ  Ｅｍｉｔｔｉｎｇ  Ｄｉｏｄｅ）などの点光源、ＦＦＬ（Ｆｌａｔ  Ｆｌｕｏｒｅｓｃｅｎｔ  Ｌａｍｐ）などの面光源を使用できる。以下の実施形態で例示される光源２１０は線光源であり、これらが多数個が平行に配置された場合が例示される。
【００２６】
光源２１０の下には、反射シート２２０が配置されて、光源２１０から下に射出された光を上部に反射する。
【００２７】
光源２１０の上部には、光学プレート２３０及び光学シート層２４０が配置される。光学プレート２３０は、光源２１０から入射された光を拡散させ、光学シート層２４０は入射された光を拡散させるか、或いは偏光又は集光する。光学シート層２４０は前記機能を１つ以上有する２以上の光学シートの組み合わせからなることができる。組み合わせ可能な光学シートとしては、拡散シート、プリズムシートなどを挙げることができる。必要に応じて光学シート層２４０は保護シートをさらに備えてもよい。
【００２８】
バックライトアセンブリ５００は、前述した光源２１０、反射シート２２０、光学プレート２３０及び光学シート層２４０を収納又は受容するボトムシャーシ２５０、第１のモールド３００及び第２のモールド４００を含む。
【００２９】
反射シート２２０は、ボトムシャーシ２５０上に収納され、光源２１０はボトムシャーシ２５０の底面上に配置される。反射シート２２０は、実質的な長方形形状に配置される。光学プレート２３０及び光学シート層２４０は、第１のモールド３００及び第２のモールド４００によって限定された収納空間に配置される。液晶パネル１００は第２のモールド４００上に配置される。
【００３０】
第１のモールド３００は、光源２１０を受容する第３の側部３３０及び第４の側部３４０を含み、光源２１０受容と関係なく第１の側部３１０及び第２の側部３２０をさらに含む。第１の側部３１０、第２の側部３２０、第３の側部３３０及び第４の側部３４０は一体型に連結されている。すなわち、第１のモールド３００は、中央に開放窓を有する一体型の窓枠形状になっている。第１のモールド３００が一体型になることによって組み立て過程が簡便になるだけではなく、外部衝撃についてのバックライトアセンブリ５００の抵抗力が高まる。このような第１のモールド３００は、樹脂などを射出成型することによって製造できる。
【００３１】
第２のモールド４００は、第１のモールド３００上に配置され、第１のモールド３００と同様に第１〜第４の側部（４１０〜４４０）を全て含む。第２のモールド４００もまた中央に開放窓を有する一体型の窓枠形状になる。
【００３２】
トップシャーシ６００は、液晶パネル１１０の枠を覆い、液晶パネル１１０及びバックライトアセンブリ５００の側面を包む。ボトムシャーシ２５０、第１のモールド３００、第２のモールド４００及びトップシャーシ６００はこれらから選択された少なくとも一つの他の部材と結合できる。前記結合の一例としてはフックによる結合（フック結合）を挙げることができる。
【００３３】
続けて、前記のような液晶表示装置を各側部による結合及び収納関係を中心にさらに詳細に説明する。
【００３４】
図３は、図２のＩＩＩ−ＩＩＩ’線に沿って切った断面図であって、本発明の第１の実施形態による液晶表示装置の第１の側部の断面図である。図１〜図３を参照すれば、液晶表示装置７００の最下端にはボトムシャーシ２５０が配置されている。ボトムシャーシ２５０は底面と側壁を含み、第１の側部でボトムシャーシ２５０の側壁は第１のモールド３１０の開放された底面から第１のモールド３１０の傾斜面３１０２と第１のモールド３１０の側壁３１０３の間に挿入されて側壁３１０３の内側面に接する。第１のモールド３１０の側壁３１０３の外側には後述するように印刷回路基板１４０が収納されるが、ボトムシャーシ２５０の側壁が印刷回路基板１４０の収納空間と関係なく側壁３１０３の内側に位置することによって、不要に収納空間の増加がない。従って、ボトムシャーシ２５０の側壁が第１のモールド３１０の側壁３１０３の外側に設けられる場合に比べてトップシャーシ６００上面の幅（ｄ１）を縮小させることができる。
【００３５】
一方、図１に示すように、第１のモールド３００は一体型として４側部を含むので、バックライトアセンブリ５００が外部衝撃について十分な抵抗力を有することができる。従って、ボトムシャーシ２５０の側壁は特別な緩衝構造なしに単純一字型に形成できる。
【００３６】
ボトムシャーシ２５０の底面には、反射シート２２０が配置されており、反射シート２２０の一側端は、第１のモールド３１０の傾斜面３１０２とボトムシャーシ２５０の間を通過して延長されている。
【００３７】
第１のモールド３１０は、上面３１０１、傾斜面３１０２及び側壁３１０３を含む。第１のモールド３１０の上面３１０１は、光学プレート２３０及び光学シート層２４０を支持する。第１のモールド３１０の傾斜面３１０２は、上面３１０１から内側方向に下向傾斜している。ここで、第１のモールド３１０の傾斜面３１０１の下端は反射シート２２０を押してやって反射シート２２０の流動を防止することに寄与する。第１のモールド３１０の傾斜面３１０２は、光源２１０から射出された光を反射する役割を果たすことができる。このため、第１のモールド３１０が反射性に優れた樹脂などで構成されるが、その場合は、第１のモールド３１０の傾斜面３１０２上に反射性物質がコーティングすることが望ましい。第１のモールド３１０の傾斜面３１０２の下向傾斜角（θ１）は十分な反射効率を有するようにするためボトムシャーシ２５０の底面を基準に例えば約３０°〜６０°であることが望ましい。
【００３８】
第１のモールド３１０の側壁３１０３の内側面は垂直面を形成する。第１のモールド３１０の側壁３１０３の外側面は上面３１０１から垂直に延長された外側垂直面、外側垂直面から水平方向に突出された水平端（３１０３ａ）及び水平端（３１０３ａ）から内側方向から下向逆傾斜した逆傾斜面（３１０３ｂ）を含む。水平端（３１０３ａ）は上面（３１０１）の外側端より外側に突出されている。第１のモールド３１０の下側は開放されており、傾斜面３１０２、上面３１０１及び側壁３１０３に取り囲まれた領域には空いている空間が形成される。
【００３９】
第１の側部の第２のモールド４１０は、第１のモールド３１０の水平端（３１０３ａ）上に設けられる。第２のモールド４１０は、内側に突出されて光学プレート２３０及び／又は光学シート層２４０を覆うことと同時に液晶パネル１１０を支持する支持端４１０１を含む。第２のモールド４１０の最外側面は、第１のモールド３１０の側壁３１０３の最外側面、例えば水平端３１０３ａの端部より突出されている。また、第２のモールド４１０の外側面は最外側面から内側にアンダーカットされたアンダーカット面４１０２、又はネガティブステップ面を備える。
【００４０】
トップシャーシ６００は、液晶パネル１１０の枠を覆い、第１のモールド３１０及び第２のモールド４１０の外側面を覆う。トップシャーシ６００の側壁は少なくともデータＴＣＰ１３０が通過できる程度の間隔に第２のモールド４１０の最外側面に隣接配置される。トップシャーシ６００の側壁と第２のモールド４１０のアンダーカット面４１０２の間に形成された空間はデータドライバーＩＣ１３５が収納できる空間を提供する。トップシャーシ６００の側壁と第１のモールド３１０の側壁３１０３の逆傾斜面３１０３ｂの間に形成された空間は印刷回路基板１４０が収納される空間を提供する。
【００４１】
さらに具体的に説明すれば、液晶パネル１１０の第１の側部に付着されたデータＴＣＰ１３０及び印刷回路基板１４０を第１のモールド３１０及び第２のモールド４１０側に折り曲げた後トップシャーシ６００を結合すれば、トップシャーシ６００の側壁と第２のモールド４１０のアンダーカット面４１０２の間のデータドライバーＩＣ１３５収納空間、及びトップシャーシ６００の側壁と第１のモールド３１０の側壁３１０３の逆傾斜面（３１０３ｂ）の間の印刷回路基板１４０収納空間が形成される。ここで、トップシャーシ６００の側壁と第１のモールド３１０の側壁３１０３の逆傾斜面（３１０３ｂ）が形成する空間の垂直断面は上から下に下るほど幅が広まれる梯形形状になる。一方、印刷回路基板１４０とデータＴＣＰ１３０との連結部には主に連結配線（図示せず）が形成されており、駆動チップ１４１は、データＴＣＰ１３０との連結部から遠い側に実装されている。従って、収納された印刷回路基板１４０の駆動チップ１４１は前記梯形形状の幅が広い領域に設けられるようになり、幅が狭い領域には連結配線のみが設けられるので、収納空間の活用度を極大化できる。
【００４２】
すなわち、印刷回路基板１４０の底面は、第１のモールド３１０の側壁３１０３の逆傾斜面（３１０３ｂ）上に配置され、駆動チップ１４１は相対的に幅が広い領域に設けられるようになる。従って、駆動チップ１４１の上面の突出程度が印刷回路基板１４０を垂直に配置した場合より減少するようになる。駆動チップ１４１の突出程度が減少することによってトップシャーシ６００の側壁は、さらに内側に接近できるようになる。その結果、表示領域と関係なくトップシャーシ６００の上面の幅（ｄ１）が相対的に縮小できる。また、データＴＣＰ１３０から突出されているデータドライバーＩＣ１３５はトップシャーシ６００の側壁と第２のモールド４１０のアンダーカット面４１０２の間の空間にそのまま収納できるので、トップシャーシ６００上面の幅（ｄ１）はさらに縮小又は同一に維持することができる。
【００４３】
トップシャーシ６００の上面の幅（ｄ１）が縮小するようになれば、液晶表示装置７００の全体大きさに比べて表示領域の大きさの比率が増加するようになって、同一サイズの液晶表示装置で相対的に大きい表示画面を実現できる。併せて、多数個の液晶パネルを隣接配置して一つのディスプレイ画面を実現するタイル状に並んだモニター用液晶表示装置に適用する場合、各液晶表示装置間非表示領域の幅が縮小し、画質がさらに改善できる。
【００４４】
図４は、図２のＩＶ−ＩＶ’線に沿って切った断面図であって、本発明の第１の実施形態による液晶表示装置の第２の側部の断面図である。図１、図２及び図４を参照すれば、液晶表示装置７００の第２の側部はデータＴＣＰ１３０及び印刷回路基板１４０が付着されない点が第１の側部と異なる。従って、第１の側部でのような収納空間を形成する必要がない。すなわち、第２の側部で第１のモールド３２０の傾斜面３２０２及び上面３２０１は、第１の側部でと同一であるが、第１のモールド３２０の側壁３２０３は逆傾斜面を備える必要がない。第２のモールド４２０の場合にも内側に支持端４２０１を備えるが、外側面は第２のモールド４２０が配置される水平端（３２０３ａ）から下方向にアンダーカットなしに垂直に延長されている。第１のモールド３２０の側壁３２０３の外側面と第２のモールド４２０の外側面は実質的に整列されている。第２の側部では、ボトムシャーシ２５０の側壁が第１のモールド３２０の開放された底面から第１のモールド３２０の側壁３２０３と傾斜面３２０２の間に挿入されており、第１のモールド３２０の側壁３２０３の外側に収納空間が不要であり、第１のモールド３２０の側壁３２０３の外側面と第２のモールド３２０の外側面がトップシャーシ６００の側壁に隣接して配置されるため、トップシャーシ６００の上面の幅（ｄ２）がさらに縮小できる。一方、本実施形態の変形例として、製造工程の単純化観点で第２の側部の第１のモールド３２０及び第２のモールド４２０は第１の側部でと同一な形状になってもよい。
【００４５】
図５は、図２のＶ−Ｖ’線に沿って切った断面図であって、本発明の第１の実施形態による液晶表示装置の第３の側部の断面図である。図１、図２及び図５を参照すれば、第３の側部には光源２１０が受容されるので、第１のモールド３３０の内側形状が第１の側部及び第２の側部でと異なる。データＴＣＰ１３０及び印刷回路基板１４０が付着されていない点は、第２の側部と類似するため、第１のモールド３３０及び第２のモールド４３０の外側形状は第２の側部と実質的に同一でもよい。
【００４６】
さらに具体的に説明すれば、第３の側部で第１のモールド３３０は上面３３０１、上面３３０１から下向傾斜した傾斜面３３０２、傾斜面から延長されている垂直面３３０７、及び側壁３３０３を含む。第３の側部の第１のモールド３３０には光源２１０が受容されるので、光源２１０が受容される領域には反射面が備えられる必要がない。従って、光源が受容される領域には垂直面３３０７が配置される。傾斜面３３０２は、垂直面３３０７から上側に延長されて形成されている。また、本傾斜面３３０２は、光源２１０の長軸と垂直を形成するので、光源２１０から直接的に入射される光量が少ない。従って、傾斜面３３０２の下向傾斜角（θ２）も第１の側部での傾斜面のように緩慢にする必要はない。一方、ボトムシャーシ２５０についての傾斜面３３０２の下向傾斜角（θ２）が大きいほどボトムシャーシ２５０の側壁から垂直面３３０７の離隔距離が狭くなるため光源２１０の露出面積確保に有利である。従って、反射効率を過度に低下させない範囲内でボトムシャーシ２５０についての傾斜面３３０２の下向傾斜角（θ２）は大きいことが好ましい。例えば、約６０°〜８０°の範囲であることが望ましい。
【００４７】
その他、支持端４３０１を含む第２のモールド４３０の形状、水平端（３３０３ａ）を備える第１のモールド３３０の側壁３３０３の外側面形状及び第２のモールド４３０の外側面形状は第２の側部でと実質的に同一なので重複説明は省略する。一方、示さないが、第４の側部の形状は第３の側部と対称にすることができるのは勿論である。
【００４８】
続けて、本発明の他の実施形態による液晶表示装置について説明する。以下の実施形態は液晶表示装置の特徴的な一側部についての断面図を中心に説明されるものである。各実施形態で説明されない他側部は基本的に本発明の第１の実施形態と同一である。但し、それに制限されず、説明される多様な実施形態の各側部が多様な方法で組み合わせられて適用されることも可能なことは勿論である。各実施形態で前述した実施形態と同一な構造を有する構成要素については同一な参照符号を示し、重複的な説明は省略するか、簡略化し、差異点を中心に説明する。
【００４９】
図６は、本発明の第２の実施形態による液晶表示装置の第１の側部の断面図である。
【００５０】
図６を参照すれば、本実施形態による液晶表示装置７０１の第１の側部は、第１のモールド３１１の側壁３１１３形状で図３に示す本発明の第１の実施形態と差異がある。すなわち、第１のモールド３１１の上面３１０１、傾斜面３１０２、及び側壁３１１３の内側面の形状は本発明の第１の実施形態と実質的に同一であるが、第１のモールド３１１の側壁３１１３の外側面が突出部（３１１３ａ）を含むことが本発明の第１の実施形態と異なる。さらに具体的に説明すれば、第１のモールド３１１の側壁３１１３の外側面は上面３１０１から垂直に延長された外側垂直面、外側垂直面から水平方向に突出された突出部（３１１３ａ）、突出部（３１１３ａ）下でアンダーカットされて垂直に形成されているアンダーカット面（３１１３ｂ）を含む。外側垂直面とアンダーカット面（３１１３ｂ）は同一な線上に整列されてもよいが、必要に応じて何れか一つがさらに外側に存在してもよい。これら間の関係は第１のモールド３１１の強度及び印刷回路基板１４０に実装される駆動チップ１４１の大きさなどによって決定されることである。突出部（３１１３ａ）の上面には第２のモールド４１０の下端に設けられる。第２のモールド４１０の形状は本発明の第１の実施形態と実質的に同一である。
【００５１】
第２のモールド４１０のアンダーカット面４１０２とトップシャーシ６００の側壁の間に形成される空間はデータドライバーＩＣ１３５の収納空間を提供するようになり、第１のモールド３１１のアンダーカット面（３１１３ｂ）とトップシャーシ６００の側壁の間に形成される空間は印刷回路基板１４０の収納空間を提供するようになる。印刷回路基板１４０は底面がアンダーカット面（３１１３ｂ）上に配置される。従って、本発明の第１の実施形態でよりさらに広い印刷回路基板１４０収納空間を提供できる。特に、印刷回路基板１４０とデータＴＣＰ１３０の連結部に駆動チップ１４１が実装されている場合にも、収納空間の幅が上部と下部にかけて同一なのでさらに有用に適用されうる。
【００５２】
図７は、本発明の第３の実施形態による液晶表示装置の第１の側部の断面図である。
【００５３】
図７を参照すれば、本実施形態による液晶表示装置７０２の第１の側部は第１のモールド３１２の下部に空いている空間が形成されていず、第１のモールド３１２の内部が全て充填されている点が本発明の第１の実施形態と異なる。すなわち、上面３１２１、傾斜面３１２２、及び側壁３１２３の外側面（３１２３ａ、３１２３ｂ参照）の形状は第１の実施形態と同一であるが、これらの下部が開放されず固相媒質、例えば樹脂などの第１のモールド３１２を構成する物質で充填されている。この場合、第１のモールド３１２の底面全体が反射シート２２０及び／又はボトムシャーシ２５０に接するので反射シート２２０の流動がさらに防止できることは勿論である。また、内部が全て樹脂などで充填されているため全体強度及び外部衝撃に対する抵抗力が増加する。
【００５４】
図８は、本発明の第４の実施形態による液晶表示装置の第１の側部の断面図である。
【００５５】
図８を参照すれば、本実施形態による液晶表示装置７０３の第１の側部は、第１のモールド３１３の底面に締結溝３１３６が形成されている点が本発明の第３の実施形態と異なる。ひいて、ボトムシャーシ２５０の底面にも締結溝３１３６と貫通する締結ホールが形成されていて、ボトムシャーシ２５０の底面から釘、ねじ、スクリューなどのような結合部材２５５によって第１のモールド３１３と容易に締結できる。以上の実施形態で一部例示された第１のモールドとボトムシャーシ間の締結はフック結合で、第１のモールドの側壁とボトムシャーシの側壁間に結合が行われることができるが、本実施形態でのようにスクリューなどによってボトムシャーシ２５０の底面から結合する場合ボトムシャーシ２５０と第１のモールド３１３間の分離がさらに容易である。例えば、反射シート２２０又は光源２１０を交替するか、或いは修理する必要がある場合、スクリューを分離して第１のモールド３１３とボトムシャーシ２５０を分離すれば、反射シート２２０及び光源２１０が直ちに表れるのでこれらの交替が容易である。本発明の実施形態では、第１のモールドが第１の側部〜第４の側部にかけて一体型に形成されており、第１のモールドは第２のモールド及び／又はトップシャーシに結合されているので、第１のモールドとボトムシャーシ間の分離にもかかわらず上部の光学プレート及び／又は光学シート層が、前述したとおりに、収納されている。
【００５６】
本実施形態の変形例で、第１のモールドの下部が樹脂などで充填されていない第１の実施形態〜第３の実施形態の場合にも側壁の下端に締結溝を形成することによって、第１のモールドがボトムシャーシの底面からスクリューなどに締結できる。
【００５７】
図９は、本発明の第５の実施形態による液晶表示装置の第１の側部の断面図である。
【００５８】
図９を参照すれば、本実施形態による液晶表示装置７０４の第１の側部は第１のモールド３１４の下部に開放された空いている空間に支持リブ３１４６を備える点が本発明の第１の実施形態と異なる。すなわち、傾斜面３１４２及び／又は上面３１４１の下面から反射シート２２０及び／又はボトムシャーシ２５０の底面まで少なくとも一つの支持リブ３１４６が延長されている。支持リブ３１４６の下端は傾斜面３１４２の下端のように反射シート２２０を押してやることによって、反射シート２２０の流動をさらに防止できる。このような支持リブ３１４６は、第１のモールド３１４の支持強度をさらに増加させて、外部衝撃についてバックライトアセンブリの抵抗力をさらに増加させることができる。図面に示さないが、本実施形態の変形例で、液晶表示装置の第１の側部、第２の側部、第３の側部、第４の側部のうち少なくとも一つで第１のモールドが支持リブを備えてもよいことは勿論である。
【００５９】
図１０は、本発明の第６の実施形態による液晶表示装置の第１の側部の断面図である。
【００６０】
図１０の実施形態は、以上の実施形態が一つ以上組み合わせできることを示す。すなわち、図１０に示すように、本実施形態による液晶表示装置７０５の第１のモールド３１５は本発明の第２の実施形態による第１のモールド（図６の‘３１１’参照）の側壁の外側形状を有しながらも、本発明の第３の実施形態でのように第１のモールド（図７の‘３１２’参照）の内部が樹脂などで充填されていてもよい。本実施形態は組み合わせられたそれぞれの実施形態による効果を全て有することは勿論である。
【００６１】
一方、以上の実施形態では、反射シートが屈折面なしに平らな面であって、第１のモールドの傾斜面下に挿入されており、第１のモールドの傾斜面がこれを押してやる場合が例示されているが、反射シートは傾斜面に沿って屈折されて傾斜面を覆ってもよい。図１１にその一例が示されている。図１１は、本発明の第７の実施形態による液晶表示装置の第１の側部の断面図である。
【００６２】
図１１を参照すれば、本実施形態による液晶表示装置７０６の第１のモールド３１０の形状は本発明の第１の実施形態と実質的に同一である。反射シート２２１は、第１のモールド３１０の傾斜面３１０２に沿って屈折されており、第１のモールド３１０の上面３１０１にまで延長されている。好ましくは、反射シート２２１は、第１のモールド３１０の上面３１０１に接着剤などを通じて付着できる。この場合、傾斜面３１０２を全て反射シート２２１が覆うので、反射効率が増加できる。併せて、第１のモールド３１０は反射性に優れた物質からなる必要がなく通常の剛性を有する樹脂からなれば十分である。また、反射シート２２１が第１のモールド３１０の上面３１０１に付着されるため、反射シート２２１の流動がさらに防止できる。示さないが、前記のような反射シートの形状及び付着方法は本発明の他の実施形態による場合にも同一に適用できる。
【００６３】
図１２は、本発明の第８の実施形態による液晶表示装置の第２の側部の断面図である。本実施形態による液晶表示装置７０７は、第２の側部の第１のモールド３２７が図１２に示すようにボトムシャーシ２５０の側壁の内側に配置された点が図４の実施形態と異なる。すなわち、第１のモールド３２７、ボトムシャーシ２５０、及びトップシャーシ６００が順次に隣接配置されている。この時、第２のモールド４２０の下端はボトムシャーシ２５０の側壁上に配置できる。この場合、第１のモールド３２７の側壁３２７３の外側面は水平端を備える必要なく垂直面からなることができる。本実施形態による場合、トップシャーシとボトムシャーシが隣接配置されるので、液晶表示装置の最外側面を構成するこれら間の結合がさらに容易となる。
【００６４】
図１３は、本発明の第９実施形態による液晶表示装置の第３の側部断面図である。図１３を参照すれば、本実施形態による液晶表示装置７０８の第３の側部の第１のモールド３３８がボトムシャーシ２５０の側壁の内側に配置されている点が図５に示されている本発明の第１の実施形態と異なる。この場合、第２のモールド４３０の下端は、ボトムシャーシ２５０の側壁上に配置され、第１のモールド３３８の側壁３３８３の外側面は垂直面からなってもよい。
【００６５】
図１４は、本発明の第１０の実施形態による液晶表示装置の分解斜視図である。図１５は、本発明の第１０の実施形態による液晶表示装置の第３の側部の断面図である。
【００６６】
図１４を参照すれば、本実施形態による液晶表示装置７０９の第３の側部にゲートＴＣＰ１５０及びその上に実装されたゲートドライバーＩＣ１５５をさらに含む。従って、第３の側部で液晶パネル１１０’の第１の表示板１１１’の大きさを第２の表示板１１２の大きさより大きくすることができる。また、本発明の第１の実施形態でように第１の表示板１１１’上にゲート駆動部を別途に備える必要がないことは勿論である。
【００６７】
図１５を参照すれば、本実施形態による液晶表示装置７０９は、第３の側部のゲートＴＣＰ１５０及びゲートドライバーＩＣ１５５を収納するゲートドライバーＩＣ１５５収納空間をさらに含む。具体的には、ゲートＴＣＰ１５０及びゲートドライバーＩＣ１５５は、折り曲げられてトップシャーシ６００の内側に収納されなければならないが、このためトップシャーシ６００と第２のモールド４３９の間に本発明の第１の実施形態による第１の側部のデータドライバーＩＣ収納空間と類似したゲートドライバーＩＣ１５５収納空間が備えられる。但し、印刷回路基板収納空間が不要なので、第１のモールド３３９の側壁３３９３の外側面には逆傾斜面が備えられる必要はない。すなわち、第１のモールド３３９の側壁の外側面は上面３３０１から垂直に延長された第１の外側垂直面、外側垂直面から水平方向に突出された水平端（３３９３ａ）、及び水平端から垂直に延長されている第２の外側垂直面を備える。また、第２のモールド４３９の外側面は最外側面からアンダーカットされたアンダーカット面４３９２を含む。このような第２のモールド４３９のアンダーカット面４３９２と第１のモールド３３９の水平端（３３９３ａ）及びトップシャーシ６００によって取り囲まれた空間にゲートドライバーＩＣ１５５が収納される。一方、本実施形態で第４の側部はゲートＴＣＰ及びゲートドライバーＩＣを含まないので、図５に示す第３の側部の対称形状を有する。
【００６８】
以上、添付した図面を参照して本発明の好適な実施形態を説明したが、当業者であれば、本発明の技術的思想や必須的な特徴を変更せずに他の具体的な形態で実施されうることを理解することができる。したがって、上述した好適な実施形態は、例示的なものであり、限定的なものではないと理解されるべきである。
【産業上の利用可能性】
【００６９】
本発明は、液晶パネル、印刷回路基板及びバックライトアセンブリを含む液晶表示装置に適用されうる。
【図面の簡単な説明】
【００７０】
【図１】本発明の第１の実施形態による液晶表示装置の分解斜視図である。
【図２】本発明の第１の実施形態による液晶表示装置の斜視図である。
【図３】図２のＩＩＩ−ＩＩＩ’線に沿って切った断面図であって、本発明の第１の実施形態による液晶表示装置の第１の側部の断面図である。
【図４】図２のＩＶ−ＩＶ’線に沿って切った断面図であって、本発明の第１の実施形態による液晶表示装置の第２の側部の断面図である。
【図５】図２のＶ−Ｖ’線に沿って切った断面図であって、本発明の第１の実施形態による液晶表示装置の第３の側部の断面図である。
【図６】本発明の第２の実施形態による液晶表示装置の第１の側部の断面図である。
【図７】本発明の第３の実施形態による液晶表示装置の第１の側部の断面図である。
【図８】本発明の第４の実施形態による液晶表示装置の第１の側部の断面図である。
【図９】本発明の第５の実施形態による液晶表示装置の第１の側部の断面図である。
【図１０】本発明の第６の実施形態による液晶表示装置の第１の側部の断面図である。
【図１１】本発明の第７の実施形態による液晶表示装置の第１の側部の断面図である。
【図１２】本発明の第８の実施形態による液晶表示装置の第２の側部の断面図である。
【図１３】本発明の第９の実施形態による液晶表示装置の第３の側部の断面図である。
【図１４】本発明の第１０の実施形態による液晶表示装置の分解斜視図である。
【図１５】本発明の第１０の実施形態による液晶表示装置の第３の側部の断面図である。
【符号の説明】
【００７１】
１１０：液晶パネル
１３０：データＴＣＰ
１３５：データドライバーＩＣ
１４０：印刷回路基板
２１０：光源
２２０：反射シート
２３０：光学プレート
２４０：光学シート層
２５０：ボトムシャーシ
３００：第１のモールド
４００：第２のモールド
６００：トップシャーシ
【図１】
2008027884.tif 000003
【図２】
2008027884.tif 000004
【図３】
2008027884.tif 000005
【図４】
2008027884.tif 000006
【図５】
2008027884.tif 000007
【図６】
2008027884.tif 000008
【図７】
2008027884.tif 000009
【図８】
2008027884.tif 000010
【図９】
2008027884.tif 000011
【図１０】
2008027884.tif 000012
【図１１】
2008027884.tif 000013
【図１２】
2008027884.tif 000014
【図１３】
2008027884.tif 000015
【図１４】
2008027884.tif 000016
【図１５】
2008027884.tif 000017